(57)【要約】【課題】検出要素間の電気的な接続に対する冗長性を高めることを可能にしたタッチセンサ用電極、タッチパネル、および、表示装置を提供する。【解決手段】ドライブ電極は、第１方向Ｄ１に沿って並ぶ複数のドライブ検出要素３１ＤＰａと、互いに隣り合うドライブ検出要素３１ＤＰａを接続する複数のドライブ接続要素３１ＤＰｂとから構成されるとともに、第１方向Ｄ１と交差する第２方向Ｄ２に沿って並び、ドライブ検出要素３１ＤＰａ間を直線状に結ぶ導線の延在方向は、第１交差方向Ｃ１であり、ドライブ接続要素３１ＤＰｂを構成する導線の中で第１交差方向に沿って延びる導線の占める割合は、ドライブ検出要素３１ＤＰａを構成する導線の中で第１交差方向Ｃ１に沿って延びる導線の占める割合よりも大きい。【選択図】図９
2016206754.tif 000002
【特許請求の範囲】
【請求項１】
第１面と、前記第１面とは反対側の面である第２面とを有する透明誘電体基材と、
前記第１面と対向する視点から見て、第１交差方向に沿って延びる導線と、前記第１交差方向と直交する第２交差方向に沿って延びる導線とから構成されるとともに、前記導線による矩形格子模様を有した導線格子とを備え、
前記導線格子は、前記第１面に位置する複数の第１電極、前記第１面に位置する複数の第１ダミー、前記第２面に位置する複数の第２電極、および、前記第２面に位置する複数の第２ダミーとから構成されるとともに、前記第１電極、前記第１ダミー、前記第２電極、および、前記第２ダミーが、別々の前記導線から構成され、
前記第１電極は、第１方向に沿って並ぶ複数の第１検出要素と、互いに隣り合う前記第１検出要素を接続する複数の第１接続要素とから構成されるとともに、前記第１方向と交差する第２方向に沿って並び、
前記第２電極は、前記第２方向に沿って並ぶ複数の第２検出要素と、互いに隣り合う前記第２検出要素を接続する複数の第２接続要素とから構成されるとともに、前記第１方向に沿って並び、
前記第１ダミーは、互いに隣り合う前記第１電極間に前記第１電極から離れて位置し、
前記第２ダミーは、互いに隣り合う前記第２電極間に前記第２電極から離れて位置し、
前記第１検出要素の占有領域と前記第２ダミーの占有領域とが、互いに向かい合い、
前記第２検出要素の占有領域と前記第１ダミーの占有領域とが、互いに向かい合い、
前記第１接続要素の占有領域と前記第２接続要素の占有領域とが、互いに向かい合い、
前記第１検出要素間を直線状に結ぶ前記導線の延在方向は、前記第１交差方向であり、
前記第１接続要素を構成する前記導線の中で前記第１交差方向に沿って延びる前記導線の占める割合は、前記第１検出要素を構成する前記導線の中で前記第１交差方向に沿って延びる前記導線の占める割合よりも大きい
タッチセンサ用電極。
【請求項２】
前記第１方向と前記第１交差方向との形成する角度は、前記第２方向と前記第１交差方向との形成する角度以下である
請求項１に記載のタッチセンサ用電極。
【請求項３】
前記第１接続要素において前記第１検出要素間を直線状に結ぶ各導線が、接続導線であり、
前記第１接続要素は、前記第２交差方向に沿って延びるとともに、複数の前記接続導線を結ぶ前記導線をさらに備える
請求項１または２に記載のタッチセンサ用電極。
【請求項４】
前記導線格子における単位格子は、前記第１面と対向する視点から見て、矩形形状、もしくは、菱形形状を有し、かつ、長さが格子ピッチである一辺を含み、
前記第１検出要素の端部において、前記導線格子の格子点から延びる前記導線の長さは、前記格子ピッチ以下である
請求項１から３のいずれか１項に記載のタッチセンサ用電極。
【請求項５】
前記第２検出要素間を直線状に結ぶ前記導線の延在方向は、前記第２交差方向であり、
前記第２接続要素を構成する前記導線の中で前記第２交差方向に沿って延びる前記導線の占める割合は、前記第２検出要素を構成する前記導線の中で前記第２交差方向に沿って延びる前記導線の占める割合よりも大きい
請求項１から４のいずれか１項に記載のタッチセンサ用電極。
【請求項６】
請求項１から５のいずれか一項に記載のタッチセンサ用電極と、
前記タッチセンサ用電極を覆うカバー層と、
前記タッチパネル用電極を駆動する駆動回路と、
を備えるタッチパネル。
【請求項７】
情報を表示する表示パネルと、
前記表示パネルの表示する前記情報を透過する請求項６に記載のタッチパネルと、
を備える表示装置。
【発明の詳細な説明】
【技術分野】
【０００１】
本発明は、第１方向に沿って並ぶ複数の電極と、第２方向に沿って並ぶ複数の電極とを備えるタッチセンサ用電極、タッチパネル、および、表示装置に関する。
【背景技術】
【０００２】
表示装置に搭載されるタッチパネルは、第１方向に沿って延びる複数の第１電極と、第１方向に対して直交する第２方向に沿って延びる複数の第２電極とを備える。これら複数の第１電極と複数の第２電極とが立体的に交差するように、第１電極と第２電極とは配置される。そして、複数の第１電極の中のいずれか１つの第１電極と、複数の第２電極の中のいずれか１つの第２電極との間の静電容量の変化が検知されることによって、タッチパネルに対する入力位置は検出される。こうしたタッチパネルにおいて入力位置の検出感度を高める要望は、表示装置の高性能化が進むことに伴って強まっている。
【０００３】
上記要請に応える装置の１つは、菱形形状を有して第１方向に沿って並ぶ複数の第１検出要素と、互いに隣り合う第１検出要素間を接続する第１接続要素とから第１電極を構成する。また、菱形形状を有して第２方向に沿って並ぶ複数の第２検出要素と、互いに隣り合う第２検出要素間を接続する第２接続要素とから第２電極を構成する。そして、タッチパネルの操作面と対向する視点から見て、第１接続要素と第２接続要素とが立体的に重なり、かつ、第１検出要素と第２検出要素とが立体的に重ならないように、これら第１電極と第２電極とが配置される（例えば、特許文献１，２参照）。
【０００４】
図１４を参照して上述したタッチパネル用電極の一例を説明する。
図１４（ａ）が示すように、タッチパネルの操作面ＳＣと対向する視点から見て、タッチパネル用電極は、矩形格子模様を有した導線格子ＬＡを備える。矩形格子模様は、第１交差方向Ｃ１に沿って延びる導線ＣＬ１と、第１交差方向Ｃ１と直交する第２交差方向Ｃ２に沿って延びる導線ＣＬ２とから構成される。導線格子ＬＡにおける単位格子ＬＳは、１辺の長さが格子ピッチＰＬである正方形形状を有する。
【０００５】
導線格子ＬＡは、第１面Ｓ１に位置する複数の第１電極Ｐ１、第１面Ｓ１に位置する複数の第１ダミーＤＤ１、第２面Ｓ２に位置する複数の第２電極Ｐ２、および、第２面Ｓ２に位置する複数の第２ダミーＤＤ２とから構成される。これら第１電極Ｐ１、第１ダミーＤＤ１、第２電極Ｐ２、および、第２ダミーＤＤ２は、別々の導線から構成される。
【０００６】
図１４（ｂ）が示すように、第１電極Ｐ１は、図中ドットが付された部分であり、第１方向Ｄ１に沿って並ぶ複数の第１検出要素ＰＤ１と、互いに隣り合う第１検出要素ＰＤ１を接続する複数の第１接続要素ＰＣ１とから構成される。第１電極Ｐ１は、第１方向Ｄ１と直交する第２方向Ｄ２に沿って並んでいる。第１ダミーＤＤ１は、互いに隣り合う第１電極Ｐ１の間に位置するとともに、第１電極Ｐ１から離れている。
【０００７】
図１４（ｃ）が示すように、第２電極Ｐ２は、図中ドットが付された部分であり、第２方向Ｄ２に沿って並ぶ複数の第２検出要素ＰＤ２と、互いに隣り合う第２検出要素ＰＤ２を接続する複数の第２接続要素ＰＣ２とから構成される。第２電極Ｐ２は、第１方向Ｄ１に沿って並んでいる。第２ダミーＤＤ２は、互いに隣り合う第２電極Ｐ２間に位置するとともに、第２電極Ｐ２から離れている。
【０００８】
第１検出要素ＰＤ１が占有する領域と、第２ダミーＤＤ２が占有する領域とは、互いに向かい合うとともに、第２検出要素ＰＤ２が占有する領域と、第１ダミーＤＤ１が占有する領域とは、互いに向かい合う。そして、第１接続要素ＰＣ１が占有する領域と、第２接続要素ＰＣ２が占有する領域とが、互いに向かい合うように、導線格子ＬＡは構成される。
【０００９】
こうしたタッチパネル用電極において、操作面ＳＣに人の指が近づくとき、第１検出要素ＰＤ１から第２検出要素ＰＤ２に向けて延びる電界は、人の指によって影響されやすい。それゆえに、第１電極Ｐ１と第２電極Ｐ２との間において、人の指が近づくことに対する感度、すなわち、人の指の入力位置を検出する感度が高くなる。また、第１電極Ｐ１、および、第２電極Ｐ２が、複数の導線から構成された矩形格子模様を形成するため、表示装置の出力する情報の透過性も、こうしたタッチパネル用電極においては十分に得られる。さらに、互いに隣り合う第１電極Ｐ１の間には、第１電極Ｐ１の模様を模した第１ダミーＤＤ１が配置され、かつ、互いに隣り合う第２電極Ｐ２の間には、第２電極Ｐ２の模様を模した第２ダミーＤＤ２が配置される。それゆえに、第１電極Ｐ１の配置される周期に起因したモアレや、第２電極Ｐ２の配置される周期に起因したモアレの発生も抑えられる。
【先行技術文献】
【特許文献】
【００１０】
【特許文献１】特開２０１４−１４６１３８号公報
【特許文献２】特開２０１５−００４９９７号公報
【発明の概要】
【発明が解決しようとする課題】
【００１１】
ところで、上述したタッチパネル用電極では、第１接続要素ＰＣ１と第２接続要素ＰＣ２とが互いに重なるため、第１検出要素ＰＤ１と第２検出要素ＰＤ２との間の静電容量以外に、これら第１接続要素ＰＣ１と第２接続要素ＰＣ２との間にも、大きな静電容量が形成される。入力位置を検出する感度は、第１検出要素ＰＤ１と第２検出要素ＰＤ２との間の静電容量の変化が検知されることによって高まるため、これら第１検出要素ＰＤ１と第２検出要素ＰＤ２との間の静電容量以外の静電容量は、小さいことが好ましい。そのため、上述したタッチパネル用電極には、第１接続要素ＰＣ１が占有する面積の縮小や、第２接続要素ＰＣ２が占有する面積の縮小を強く求められる。
【００１２】
しかしながら、第１接続要素ＰＣ１が占有する面積の縮小や、第２接続要素ＰＣ２が占有する面積の縮小は、第１接続要素ＰＣ１を構成する導線の本数や、第２接続要素ＰＣ２を構成する導線の本数の減少を招き、結果として、第１検出要素ＰＤ１間の電気的な接続や、第２検出要素ＰＤ２間の電気的な接続の信頼性を損なうことになる。例えば、図１４（ｂ）が示すように、第１電極Ｐ１においては、互いに隣り合う第１検出要素ＰＤ１間の電気的な接続を１本の導線に頼ることにもなる。また、図１４（ｃ）が示すように、第２電極Ｐ２においても、互いに隣り合う第２検出要素ＰＤ２間の電気的な接続を１本の導線に頼ることになる。
【００１３】
本発明は、検出要素間の電気的な接続に対する冗長性を高めることを可能にしたタッチセンサ用電極、タッチパネル、および、表示装置を提供することを目的とする。
【課題を解決するための手段】
【００１４】
上記課題を解決するためのタッチセンサ用電極は、第１面と、前記第１面とは反対側の面である第２面とを有する透明誘電体基材と、前記第１面と対向する視点から見て、第１交差方向に沿って延びる導線と、前記第１交差方向と直交する第２交差方向に沿って延びる導線とから構成されるとともに、前記導線による矩形格子模様を有した導線格子とを備える。前記導線格子は、前記第１面に位置する複数の第１電極、前記第１面に位置する複数の第１ダミー、前記第２面に位置する複数の第２電極、および、前記第２面に位置する複数の第２ダミーとから構成されるとともに、前記第１電極、前記第１ダミー、前記第２電極、および、前記第２ダミーが、別々の前記導線から構成される。前記第１電極は、第１方向に沿って並ぶ複数の第１検出要素と、互いに隣り合う前記第１検出要素を接続する複数の第１接続要素とから構成されるとともに、前記第１方向と交差する第２方向に沿って並ぶ。前記第２電極は、前記第２方向に沿って並ぶ複数の第２検出要素と、互いに隣り合う前記第２検出要素を接続する複数の第２接続要素とから構成されるとともに、前記第１方向に沿って並ぶ。前記第１ダミーは、互いに隣り合う前記第１電極間に、前記第１電極から離れて位置する。前記第２ダミーは、互いに隣り合う前記第２電極間に、前記第２電極から離れて位置する。前記第１検出要素の占有領域と前記第２ダミーの占有領域とは、互いに向かい合う。また、前記第２検出要素の占有領域と前記第１ダミーの占有領域とが、互いに向かい合う。また、前記第１接続要素の占有領域と前記第２接続要素の占有領域とが、互いに向かい合う。そして、前記第１検出要素間を直線状に結ぶ前記導線の延在方向は、前記第１交差方向であり、前記第１接続要素を構成する前記導線の中で前記第１交差方向に沿って延びる前記導線の占める割合は、前記第１検出要素を構成する前記導線の中で前記第１交差方向に沿って延びる前記導線の占める割合よりも大きい。
【００１５】
上記課題を解決するためのタッチパネルは、上記タッチセンサ用電極と、前記タッチセンサ用電極を覆うカバー層と、前記タッチパネル用電極を駆動する駆動回路とを備える。
上記課題を解決するための表示装置は、情報を表示する表示パネルと、前記表示パネルの表示する前記情報を透過する上記タッチパネルとを備える。
【００１６】
上記各構成によれば、第１交差方向に沿って延びる導線の占める割合が、第１検出要素よりも第１接続要素で大きいため、第１検出要素間の電気的な接続に対する冗長性を高めることが可能である。
【００１７】
上記タッチセンサ用電極において、前記第１方向と前記第１交差方向との形成する角度は、前記第２方向と前記第１交差方向との形成する角度以下であることが好ましい。
【００１８】
上記構成によれば、第１検出要素間を直線状に結ぶ導線の延在方向である第１交差方向は、それと直交する第２交差方向よりも、第１検出要素の並ぶ方向に近い。そのため、第１方向と第１交差方向との形成する角度が、第２方向と第１交差方向との形成する角度よりも大きい構成と比べて、第１検出要素間を直接接続する導線の本数を多くすることが可能でもある。ひいては、第１検出要素間において、電気的な接続に対する冗長性をさらに高めることが可能でもある。
【００１９】
上記タッチセンサ用電極において、前記第１接続要素において前記第１検出要素間を直線状に結ぶ各導線が、接続導線である。そして、前記第１接続要素は、前記第２交差方向に沿って延びるとともに、複数の前記接続導線を結ぶ前記導線をさらに備えることが好ましい。
【００２０】
上記構成によれば、第１検出要素間の電気的な接続に対する冗長性を高める接続導線が、第２方向に沿って延びる導線によって並列に接続されるため、第１検出要素間の電気的な接続に対する冗長性をさらに高めることが可能でもある。
【００２１】
上記タッチセンサ用電極において、前記導線格子における単位格子は、前記第１面と対向する視点から見て、矩形形状、もしくは、菱形形状を有し、かつ、長さが格子ピッチである一辺を含む。そして、前記第１検出要素の端部において、前記導線格子の格子点から延びる前記導線の長さは、前記格子ピッチ以下であることが好ましい。
【００２２】
上記構成によれば、第１検出要素の端部において導線の断線が発生するとしても、それに起因した静電容量の変動は、格子ピッチ分の面積が縮小する変動以下に収まる。それゆえに、入力位置を検出する精度の低下、特に、第１検出要素の端部において導線が断線することに起因した精度の低下を抑えられる。
【００２３】
上記タッチセンサ用電極において、前記第２検出要素間を直線状に結ぶ前記導線の延在方向は、前記第２交差方向である。そして、前記第２接続要素を構成する前記導線の中で前記第２交差方向に沿って延びる前記導線の占める割合は、前記第２検出要素を構成する前記導線の中で前記第２交差方向に沿って延びる前記導線の占める割合よりも大きいことが好ましい。
【００２４】
上記構成によれば、第２交差方向に沿って延びる導線の占める割合が、第２検出要素よりも第２接続要素で大きいため、第２検出要素間の電気的な接続に対する冗長性を高めることが可能でもある。
【発明の効果】
【００２５】
本発明によれば、検出要素間の電気的な接続に対する冗長性を高めることが可能である。
【図面の簡単な説明】
【００２６】
【図１】本発明を具体化した一実施形態における表示装置の平面構造を示す平面図であって、互いに異なる積層要素の一部が重なる順に切り欠いて示される図である。
【図２】表示装置の断面構造を示す断面図である。
【図３】タッチパネルの電気的構成を説明するためのブロック図である。
【図４】１つのノードにおけるドライブ電極線とセンシング電極線との配置の関係を示す平面図である。
【図５】６つのノードにおけるドライブ電極線の配置を示す平面図である。
【図６】１つのノードにおけるドライブ電極線の配置を示す平面図である。
【図７】検出要素間における静電作用を説明するための作用図である。
【図８】接続要素間における静電作用を説明するための作用図である。
【図９】ドライブ電極における接続要素の作用を説明するための作用図である。
【図１０】ドライブ電極における検出要素の作用を説明するための作用図である。
【図１１】変形例におけるドライブ電極線の配置を示す平面図である。
【図１２】変形例における表示装置の断面構造を示す断面図である。
【図１３】他の変形例における表示装置の断面構造を示す断面図である。
【図１４】従来例のタッチパネル用電極における導線の配置を示す平面図であって、（ａ）は第１電極と第２電極とを重ね合わせた構造を示す平面図であり、（ｂ）は第１電極の構造を示す平面図であり、（ｃ）は第２電極の構造を示す平面図である。
【発明を実施するための形態】
【００２７】
図１から図１０を参照して、タッチセンサ用電極、タッチパネル、および、表示装置を具体化した一実施形態を説明する。以下では、表示装置の構成、タッチパネルの電気的構成、タッチセンサ用電極の構成、および、タッチセンサ用電極の作用を順番に説明する。
【００２８】
［表示装置の平面構造］
図１を参照して表示装置の構成を説明する。なお、図１においては、表示装置の備えるカラーフィルタ層、ドライブ面に形成されるドライブ電極、および、センシング面に形成されるセンシング電極の構成が示される便宜上、カラーフィルタ層、第１電極の一例であるドライブ電極、および、第２電極の一例であるセンシング電極が別々に誇張される。また、図１においては、ドライブ電極を構成する導線の一例であるドライブ電極線と、センシング電極を構成する導線の一例であるセンシング電極線とが模式的に示される。さらに、図１においては、図示の便宜上、ドライブ電極、第１ダミーの一例であるドライブダミー、センシング電極、および、第２ダミーの一例であるセンシングダミーにドットが付される。
【００２９】
図１が示すように、表示装置は、液晶パネル１０と、タッチパネル２０とが、１つの透明接着層によって貼り合わされた積層体である。表示装置は、こうしたタッチパネル２０を駆動するための駆動回路を備える。液晶パネル１０の表面には、矩形形状に形成された表示面１０Ｓが区画され、表示面１０Ｓには、外部からの画像データに基づく画像などの情報が表示される。なお、液晶パネル１０とタッチパネル２０との相対的な位置が、例えば筐体などの他の構成によって固定される前提であれば、上述した透明接着層は割愛されてもよい。
【００３０】
液晶パネル１０は、カラーフィルタ層１５を備える。カラーフィルタ層１５が備えるブラックマトリクス１５ａは、矩形格子模様を形成する。矩形格子模様は、１つの方向である第１方向Ｄ１と、第１方向Ｄ１と直交する第２方向Ｄ２とに沿って並ぶ複数の単位格子から構成される。各単位格子が区画する領域には、赤色を表示するための赤着色層１５Ｒ、緑色を表示するための緑着色層１５Ｇ、および、青色を表示するための青着色層１５Ｂのいずれかが配置される。
【００３１】
カラーフィルタ層１５において、例えば、赤着色層１５Ｒ、緑着色層１５Ｇ、および、青着色層１５Ｂの各々は、第２方向Ｄ２に沿って１つずつ順に繰り返される。１つの赤着色層１５Ｒ、１つの緑着色層１５Ｇ、および、１つの青着色層１５Ｂは、１つの画素１５Ｐを構成し、複数の画素１５Ｐは、赤着色層１５Ｒ、緑着色層１５Ｇ、および、青着色層１５Ｂの並ぶ順番を維持した状態で、第２方向Ｄ２に沿って並んでいる。各画素１５Ｐにおける第１方向Ｄ１に沿った幅は、第１画素幅ＷＰ１であり、第２方向Ｄ２に沿った幅は、第２画素幅ＷＰ２であり、各着色層における第２方向Ｄ２に沿った幅は、第３画素幅ＷＰ３である。第１画素幅ＷＰ１、第２画素幅ＷＰ２、および、第３画素幅ＷＰ３の各々は、表示装置に求められる解像度などに基づいて定められる。
【００３２】
タッチパネル２０は、静電容量式のタッチパネルであり、タッチセンサ用電極２１とカバー層２２とが透明接着層２３によって貼り合わされた積層体であり、液晶パネル１０の表示する情報を透過するように構成される。カバー層２２は、ガラス基板や樹脂フィルムなどであり、カバー層２２において透明接着層２３とは反対側の面は、タッチパネル２０における操作面２０Ｓとして機能する。透明接着層２３は、表示面１０Ｓに表示される画像を透過する光透過性を有し、例えば、ポリエーテル系接着剤やアクリル系接着剤から形成される層である。
【００３３】
タッチセンサ用電極２１を構成する透明基材３１は、液晶パネル１０に形成された表示面１０Ｓの全体に重ねられて、表示面１０Ｓに形成される画像などの情報を透過する。透明基材３１は、例えば、透明ガラス基板や透明樹脂フィルムなどであり、１つの基材から構成される単層構造であってもよいし、２つ以上の基材が重ねられた多層構造であってもよい。
【００３４】
［ドライブ電極３１ＤＰの構成］
透明基材３１における液晶パネル１０とは反対側の面は、ドライブ面３１Ｓである。透明基材３１のドライブ面３１Ｓには、複数のドライブ電極３１ＤＰが位置する。各ドライブ電極３１ＤＰは、第１方向Ｄ１に沿って括れを繰り返す帯形状を有し、かつ、第２方向Ｄ２に沿って並んでいる。
【００３５】
各ドライブ電極３１ＤＰは、導線の一例であるドライブ電極線の集合である。各ドライブ電極３１ＤＰは、第１方向Ｄ１に沿って並ぶ複数のドライブ検出要素３１ＤＰａと、第１方向Ｄ１において互いに隣り合うドライブ検出要素３１ＤＰａを接続するドライブ接続要素３１ＤＰｂとから構成される。ドライブ検出要素３１ＤＰａとドライブ接続要素３１ＤＰｂとは、第１方向Ｄ１に沿って１つずつ交互に配置される。複数のドライブ検出要素３１ＤＰａのうち、第１方向Ｄ１の一端に位置するドライブ検出要素３１ＤＰａは、パッド３１Ｐを介して選択回路に接続される。ドライブ検出要素３１ＤＰａは、第１検出要素の一例であり、ドライブ接続要素３１ＤＰｂは、第１接続要素の一例である。
【００３６】
ドライブ面３１Ｓには、さらに、複数のドライブダミー３１ＤＤが配置される。各ドライブダミー３１ＤＤは、導線の一例であるドライブダミー線から構成されるとともに、互いに隣り合うドライブ電極３１ＤＰの間に位置し、かつ、ドライブ電極３１ＤＰから離れている。ドライブダミー３１ＤＤは、ドライブ電極３１ＤＰから電気的に絶縁された導線の集合であるとともに、操作面２０Ｓと対向する視点から見て、矩形格子模様の一部を模した模様を有する第１ダミーの一例である。
【００３７】
ドライブ検出要素３１ＤＰａの占有する領域は、操作面２０Ｓと対向する視点から見て、例えば、ほぼ六角形形状を有する。ドライブ接続要素３１ＤＰｂの占有する領域は、操作面２０Ｓと対向する視点から見て、例えば、ドライブ検出要素３１ＤＰａの一辺をドライブ検出要素３１ＤＰａと共有するほぼ矩形形状を有する。各ドライブ電極３１ＤＰの占有する領域は、１つのドライブ電極３１ＤＰの占有する領域を第２方向Ｄ２に並進させた領域に相当し、かつ、第２方向Ｄ２において互いに隣り合うドライブ検出要素３１ＤＰａが、互いに電気的に接続されていない状態で並んでいる。第２方向Ｄ２において互いに隣り合う２つのドライブ電極３１ＤＰの間には、４つのドライブ検出要素３１ＤＰａと、２つのドライブ接続要素３１ＤＰｂによって囲まれたほぼ六角形形状を有した領域が区画される。そして、区画された各領域をドライブダミー３１ＤＤが占有する。
【００３８】
各ドライブ電極３１ＤＰの形成材料には、銅やアルミニウムなどの金属膜が用いられる。各ドライブ電極３１ＤＰは、別々に選択回路に接続されるとともに、選択回路が供給する駆動信号を受けることによって、選択回路に選択される。
【００３９】
ドライブ面３１Ｓ、および、複数のドライブ電極３１ＤＰは、１つの透明接着層３２によって透明基材３３に貼り合わされる。透明接着層３２は、表示面１０Ｓに表示される画像などの情報を透過する光透過性を有し、ドライブ面３１Ｓ、ドライブ電極３１ＤＰ、および、ドライブダミー３１ＤＤと、透明基材３３とを接着する。透明接着層３２は、例えば、ポリエーテル系接着剤やアクリル系接着剤などから形成される。透明基材３３は、透明誘電体層の一例であり、透明基材３３における透明基材３１と対向する面である裏面に、複数のドライブ電極３１ＤＰが並んでいる。
【００４０】
透明基材３３は、例えば、ポリエチレンテレフタラートなどの透明樹脂フィルムや透明ガラス基板などであり、１つの基材から構成される単層構造であってもよいし、２つ以上の基材が重ねられた多層構造であってもよい。透明基材３３は、表示面１０Ｓに表示される画像などの情報を透過する光透過性と、静電容量の変化の検出に適した比誘電率とを有する。透明基材３３は、透明誘電体基材の一例である。
【００４１】
［センシング電極３３ＳＰの構成］
透明基材３３における透明接着層３２とは反対側の面である表面は、センシング面３３Ｓである。センシング面３３Ｓには、複数のセンシング電極３３ＳＰが位置する。各センシング電極３３ＳＰは、第２方向Ｄ２に沿って括れを繰り返す帯形状を有し、かつ、第１方向Ｄ１に沿って並んでいる。
【００４２】
各センシング電極３３ＳＰは、導線の一例であるセンシング電極線の集合である。各センシング電極３３ＳＰは、第２方向Ｄ２に沿って並ぶ複数のセンシング検出要素３３ＳＰａと、第２方向Ｄ２において互いに隣り合うセンシング検出要素３３ＳＰａを接続するセンシング接続要素３３ＳＰｂとから構成される。センシング検出要素３３ＳＰａとセンシング接続要素３３ＳＰｂとは、第２方向Ｄ２に沿って１つずつ交互に配置される。複数のセンシング検出要素３３ＳＰａのうち、第２方向Ｄ２の一端に位置するセンシング検出要素３３ＳＰａは、パッド３３Ｐを介して測定回路に接続される。センシング検出要素３３ＳＰａは、第２検出要素の一例であり、センシング接続要素３３ＳＰｂは、第２接続要素の一例である。
【００４３】
センシング面３３Ｓには、さらに、複数のセンシングダミー３３ＳＤが配置される。各センシングダミー３３ＳＤは、導線の一例であるセンシングダミー線から構成されるとともに、互いに隣り合うセンシング電極３３ＳＰの間に位置し、かつ、センシング電極３３ＳＰから離れている。センシングダミー３３ＳＤは、センシング電極３３ＳＰから電気的に絶縁された導線の集合であるとともに、操作面２０Ｓと対向する視点から見て、矩形格子模様の一部を模した模様を有する第２ダミーの一例である。
【００４４】
操作面２０Ｓと対向する視点から見て、ドライブ検出要素３１ＤＰａは、センシングダミー３３ＳＤと向かい合い、かつ、センシング検出要素３３ＳＰａは、ドライブダミー３１ＤＤと対向する。また、操作面２０Ｓと対向する視点から見て、ドライブ接続要素３１ＤＰｂは、センシング接続要素３３ＳＰｂと対向する。操作面２０Ｓと対向する視点から見て、タッチパネル用電極には、最小の繰り返し単位であるノードＮが定められる。ノードＮは、ドライブ接続要素３１ＤＰｂ、および、センシング接続要素３３ＳＰｂを中心とした領域である。ノードＮは、ドライブ検出要素３１ＤＰａ、センシング検出要素３３ＳＰａ、ドライブダミー３１ＤＤ、および、センシングダミー３３ＳＤを含む矩形領域である。
【００４５】
センシング検出要素３３ＳＰａの占有する領域は、操作面２０Ｓと対向する視点から見て、例えば、ほぼ六角形形状を有する。センシング接続要素３３ＳＰｂの占有する領域は、操作面２０Ｓと対向する視点から見て、例えば、センシング検出要素３３ＳＰａの一辺をセンシング検出要素３３ＳＰａと共有するほぼ矩形形状を有する。各センシング電極３３ＳＰの占有する領域は、１つのセンシング電極３３ＳＰの占有する領域を第１方向Ｄ１に並進させた領域に相当し、かつ、第１方向Ｄ１において互いに隣り合うセンシング検出要素３３ＳＰａが、互いに電気的に接続されていない状態で並んでいる。第１方向Ｄ１において互いに隣り合う２つのセンシング電極３３ＳＰの間には、４つのセンシング検出要素３３ＳＰａと、２つのセンシング接続要素３３ＳＰｂによって囲まれたほぼ六角形形状を有した領域が区画される。そして、区画された各領域をセンシングダミー３３ＳＤが占有する。
【００４６】
センシング検出要素３３ＳＰａの占有する領域は、操作面２０Ｓと対向する視点から見て、ドライブ検出要素３１ＤＰａの占有する領域を９０°回転させた形状、および、大きさとほぼ等しい。また、センシング検出要素３３ＳＰａの占有する領域は、操作面２０Ｓと対向する視点から見て、ドライブダミー３１ＤＤが占有する領域の形状、および、大きさともほぼ等しい。
【００４７】
タッチセンサ用電極２１では、操作面２０Ｓと対向する視点から見て、ドライブ接続要素３１ＤＰｂとセンシング接続要素３３ＳＰｂとが互いに重なるように、ドライブ電極３１ＤＰとセンシング電極３３ＳＰとが配置される。
【００４８】
各センシング電極３３ＳＰの形成材料には、上述したドライブ電極３１ＤＰと同様、銅やアルミニウムなどの金属膜が用いられる。各センシング電極３３ＳＰは、別々に検出回路に接続されるとともに、センシング電極３３ＳＰごとの電圧が、検出回路によって検出される。選択回路、および、検出回路は、駆動回路の一例であり、タッチセンサ用電極２１、および、駆動回路が、タッチセンサの一例を構成する。
センシング面３３Ｓ、および、複数のセンシング電極３３ＳＰは、上述した透明接着層２３によってカバー層２２に貼り合わされる。
【００４９】
［表示装置の断面構造］
図２が示すように、タッチパネル２０においては、液晶パネル１０に近い構成要素から順番に、透明基材３１、ドライブ電極３１ＤＰ、透明接着層３２、透明基材３３、センシング電極３３ＳＰ、透明接着層２３、カバー層２２が位置する。これらの積層要素のうち、透明基材３３は、全てのドライブ電極３１ＤＰと、全てのセンシング電極３３ＳＰとに挟まれている。
【００５０】
透明接着層３２は、ドライブ電極３１ＤＰを構成する各ドライブ電極線の周りを覆い、かつ、互いに隣り合うドライブ電極線の間を埋め、ドライブ電極３１ＤＰと透明基材３３との間に位置する。透明接着層２３は、センシング電極３３ＳＰを構成する各センシング電極線の周りを覆い、かつ、互いに隣り合うセンシング電極線の間を埋め、センシング電極３３ＳＰとカバー層２２との間に位置する。なお、これらの積層要素において、透明接着層２３、および、透明基材３１の少なくとも一方は、割愛されてもよい。なお、透明接着層２３の省略される構成においては、カバー層２２が有する面の中で透明基材３３と対向する面がセンシング面３３Ｓであり、センシング面３３Ｓに形成される１つの薄膜のパターニングによって、複数のセンシング電極３３ＳＰが形成されてもよい。
【００５１】
なお、タッチパネル２０の製造に際しては、タッチセンサ用電極２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に銅などの導電性金属から構成される薄膜層を直に、もしくは、下地層を介して形成し、薄膜層の上にセンシング電極のパターン形状を有したレジスト層を形成する。次いで、塩化第二鉄などを用いたウェットエッチング法によって、薄膜層を複数のセンシング電極３３ＳＰに加工して、第１のフィルムを得る。また、センシング電極３３ＳＰと同様に、他の樹脂フィルムに形成された薄膜層を複数のドライブ電極３１ＤＰに加工して、第２のフィルムを得る。そして、ドライブ電極３１ＤＰとセンシング電極３３ＳＰとが透明基材３３を挟むように、第１フィルムと第２フィルムとが配置される。
【００５２】
液晶パネル１０においては、タッチパネル２０から遠い構成要素から順番に、液晶パネル１０を構成する複数の構成要素が以下のように並んでいる。すなわち、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置する。これらの積層要素のうち、ＴＦＴ層１３には、サブ画素を構成する画素電極が、マトリクス状に位置する。そして、カラーフィルタ層１５では、ブラックマトリクス１５ａが、サブ画素の各々と対向する矩形形状を有する複数の領域を区画し、ブラックマトリクス１５ａの区画する各領域には、白色光を赤色、緑色、および、青色のいずれかの色の光に変える上述した着色層が位置する。
液晶パネル１０は、表示パネルの一例であり、表示パネルは、液晶パネルに限らず、例えば、有機ＥＬパネルやＬＥＤパネルなどであってもよい。
【００５３】
［タッチパネルの電気的構成］
図３を参照して、タッチパネル２０の電気的構成を説明する。なお、以下では、静電容量式のタッチパネル２０の一例として、相互容量方式のタッチパネル２０における電気的構成を説明する。
【００５４】
図３が示すように、タッチパネル２０は、選択回路３４、検出回路３５、および、制御部３６を備える。選択回路３４は、各ドライブ電極３１ＤＰに接続され、検出回路３５は、各センシング電極３３ＳＰに接続され、制御部３６は、選択回路３４と検出回路３５とに接続される。
【００５５】
制御部３６は、走査開始信号を生成し、その走査開始信号を選択回路３４へ出力する。走査開始信号は、各ドライブ電極３１ＤＰに対する駆動信号の生成を選択回路３４に開始させるための信号である。また、制御部３６は、走査切替信号を生成し、その走査切替信号を選択回路３４へ出力する。走査切替信号は、駆動信号の供給される対象を１番目のドライブ電極３１ＤＰからｎ番目のドライブ電極３１ＤＰに向けて、選択回路３４に順次走査させるための信号である。
【００５６】
制御部３６は、検出開始信号を生成し、その検出開始信号を検出回路３５へ出力する。検出開始信号は、各センシング電極３３ＳＰを流れる電流の検出を検出回路３５に開始させるための信号である。制御部３６は、検出切替信号を生成し、その検出切替信号を検出回路３５へ出力する。検出切替信号は、検出の対象を１番目のセンシング電極３３ＳＰからｎ番目のセンシング電極３３ＳＰに向けて、検出回路３５に順次走査させるための信号である。
【００５７】
選択回路３４は、制御部３６の出力した走査開始信号に基づいて、駆動信号の生成を開始し、制御部３６の出力した走査切替信号に基づいて、駆動信号の出力先を１番目のドライブ電極３１ＤＰ１からｎ番目のドライブ電極３１ＤＰｎに向けて順に走査する。
【００５８】
検出回路３５は、信号取得部３５ａと信号処理部３５ｂとを備える。信号取得部３５ａは、制御部３６の出力した検出開始信号に基づいて、各センシング電極３３ＳＰに生成されたアナログ信号である電流信号の取得を開始する。そして、信号取得部３５ａは、制御部３６の出力した検出切替信号に基づいて、電流信号の取得元を１番目のセンシング電極３３ＳＰ１からｎ番目のセンシング電極３３ＳＰｎに向けて順に走査する。
【００５９】
信号処理部３５ｂは、信号取得部３５ａの取得した各電流信号を処理するとともに、デジタル値である電圧信号を生成し、生成された電圧信号を制御部３６へ出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００６０】
制御部３６は、信号処理部３５ｂの出力した電圧信号に基づいて、タッチパネル２０において使用者の指などが触れている入力位置を検出する。なお、タッチパネル２０における入力位置の検出方式は、上述した相互容量方式に限らず、自己容量方式であってもよい。
【００６１】
［ノードＮの構成］
図４を参照して、ドライブ電極、ドライブダミー、センシング電極、および、センシングダミーの構造を説明する。図４は、ノードＮにおける導線の配置をドライブ電極３１ＤＰとセンシング電極３３ＳＰとに分けて示す便宜上、各導線の線幅が誇張して示される。
【００６２】
図４が示すように、操作面２０Ｓと対向する視点から見て、タッチパネル用電極は、矩形格子模様を有した導線格子ＬＡを備える。矩形格子模様は、第１交差方向Ｃ１に沿って延びる導線と、第１交差方向Ｃ１と直交する第２交差方向Ｃ２に沿って延びる導線とから構成される。導線格子ＬＡにおける単位格子ＬＳは、操作面２０Ｓと対向する視点から見て、１辺の長さが格子ピッチＰＬである正方形形状を有する。第１方向Ｄ１と第１交差方向Ｃ１との形成する角度は、ブラックマトリクス１５ａが形成する矩形格子模様と、導線格子ＬＡが形成する矩形格子模様との干渉によるモアレの発生を抑える角度が好ましく、第２方向Ｄ２と第１交差方向Ｃ１との形成する角度以下である例えば、６３．４３５°である。
【００６３】
導線格子ＬＡは、ドライブ面３１Ｓに位置するドライブ電極３１ＤＰ、ドライブ面３１Ｓに位置するドライブダミー３１ＤＤ、センシング面３３Ｓに位置するセンシング電極３３ＳＰ、および、センシング面３３Ｓに位置するセンシングダミー３３ＳＤとから構成される。ドライブ電極３１ＤＰ、ドライブダミー３１ＤＤ、センシング電極３３ＳＰ、および、センシングダミー３３ＳＤは、別々の導線から構成される。
【００６４】
ドライブ検出要素３１ＤＰａを構成するドライブ電極線ＤＰａＬと、センシングダミー３３ＳＤを構成するセンシングダミー線ＳＤＬとは、別々の導線であるとともに、操作面２０Ｓと対向する視点から見て、共通する単位格子ＬＳを構成する。センシング検出要素３３ＳＰａを構成するセンシング電極線ＳＰａＬと、ドライブダミー３１ＤＤを構成するドライブダミー線ＤＤＬとは、別々の導線であるとともに、操作面２０Ｓと対向する視点から見て、共通する単位格子ＬＳを構成する。
【００６５】
ドライブ検出要素３１ＤＰａを構成するドライブ電極線ＤＰａＬの構造は、操作面２０Ｓと対向する視点から見て、センシング検出要素３３ＳＰａを構成するセンシング電極線ＳＰａＬを、ノードＮの中心を回転中心として、９０°回転させた構造とほぼ等しい。一方で、ドライブ検出要素３１ＤＰａを構成するドライブ電極線ＤＰａＬの構造は、ドライブダミー３１ＤＤを構成するドライブダミー線ＤＤＬの構造とは全く異なる。ドライブダミー３１ＤＤを構成するドライブダミー線ＤＤＬの構造は、センシング検出要素３３ＳＰａを構成するセンシング電極線ＳＰａＬを導線格子ＬＡに従って結ぶように構成される。
【００６６】
センシング検出要素３３ＳＰａを構成するセンシング電極線ＳＰａＬの構造は、操作面２０Ｓと対向する視点から見て、ドライブ検出要素３１ＤＰａを構成するドライブ電極線ＤＰａＬを、ノードＮの中心を回転中心として、９０°回転させた構造とほぼ等しい。一方で、センシング検出要素３３ＳＰａを構成するセンシング電極線ＳＰａＬの構造は、センシングダミー３３ＳＤを構成するセンシングダミー線ＳＤＬの構造とは全く異なる。センシングダミー３３ＳＤを構成するセンシングダミー線ＳＤＬの構造は、ドライブ検出要素３１ＤＰａを構成するドライブ電極線ＤＰａＬを導線格子ＬＡに従って結ぶように構成される。
【００６７】
ドライブ接続要素３１ＤＰｂを構成するドライブ電極線ＤＰｂＬと、センシング接続要素３３ＳＰｂを構成するセンシング電極線ＳＰｂＬとは、別々の導線であるとともに、操作面２０Ｓと対向する視点から見て、共通する単位格子ＬＳを構成する。ドライブ接続要素３１ＤＰｂを構成するドライブ電極線ＤＰｂＬの構造は、操作面２０Ｓと対向する視点から見て、センシング接続要素３３ＳＰｂを構成するセンシング電極線ＳＰｂＬを、ノードＮの中心を回転中心として、９０°回転させた構造とほぼ等しい。
【００６８】
図中一点鎖線が示すように、ノードＮにおける対角線は、ドライブ検出要素３１ＤＰａとドライブダミー３１ＤＤとの境界である。また、ノードＮにおける対角線は、センシング検出要素３３ＳＰａとセンシングダミー３３ＳＤとの境界でもある。ノードＮにおける対角線、および、ノードＮにおける対角線の近傍に位置する導線は、ドライブ検出要素３１ＤＰａとドライブダミー３１ＤＤとが電気的に絶縁されるように、切断される。また、ノードＮにおける対角線、および、ノードＮにおける対角線の近傍に位置する導線は、センシング検出要素３３ＳＰａとセンシングダミー３３ＳＤとが電気的に絶縁されるように、切断される。
【００６９】
なお、ドライブ電極線ＤＰａＬ，ＤＰｂＬ、および、ドライブダミー線ＤＤＬの形成材料は、上述した金属のうち、例えば、銅であることが好ましい。また、操作面２０Ｓと対向する視点から見て、ドライブ電極線ＤＰａＬ，ＤＰｂＬ、および、ドライブダミー線ＤＤＬの各々は、同じ色相、例えば、黒色を有することが好ましい。例えば、ドライブ電極線ＤＰａＬ，ＤＰｂＬ、および、ドライブダミー線ＤＤＬは、ドライブ電極線ＤＰａＬ，ＤＰｂＬ、および、ドライブダミー線ＤＤＬを形成するための金属薄膜に黒化処理が行われることによって黒色を有する。あるいは、ドライブ電極線ＤＰａＬ，ＤＰｂＬ、および、ドライブダミー線ＤＤＬは、ドライブ電極線ＤＰａＬ，ＤＰｂＬ、および、ドライブダミー線ＤＤＬに直接黒化処理が行われることによって黒色を有する。黒化処理は、例えば、酸化処理、あるいは、黒色を有する金属膜をめっきするめっき処理などである。なお、センシング電極線ＳＰａＬ，ＳＰｂＬ、および、センシングダミー線ＳＤＬもまた、ドライブ電極線ＤＰａＬ，ＤＰｂＬ、および、ドライブダミー線ＤＤＬと同様、すなわち、同じ色相、例えば黒色を有することが好ましい。
【００７０】
［ドライブ電極３１ＤＰ内の導線配置］
図５、および、図６を参照して、ドライブ電極３１ＤＰ、および、ドライブダミー３１ＤＤにおける導線の詳細な構造を説明する。なお、上述したように、ノードＮごとのセンシング電極３３ＳＰは、ノードＮごとのドライブ電極３１ＤＰをノードＮの中心を回転中心として回転させた構造体である。また、ノードＮごとのセンシングダミー３３ＳＤは、ノードＮごとのドライブダミー３１ＤＤをノードＮの中心を回転中心として回転させた構造体である。そのため、以下では、センシング電極３３ＳＰが有する構造のなかでドライブ電極３１ＤＰが有する構造と重複する説明を割愛し、また、センシングダミー３３ＳＤが有する構造のなかでドライブダミー３１ＤＤが有する構造と重複する説明を割愛する。また、図５、および、図６の各々は、ドライブ電極線ＤＰａＬ，ＤＰｂＬ、および、ドライブダミー線ＤＤＬの配置を詳細に説明する便宜上、導線の有する線幅を誇張して示す。
【００７１】
図５が示すように、導線格子ＬＡのなかでドライブ面３１Ｓに位置する導線は、ノードＮに含まれる導線を最小単位とし、第１方向Ｄ１、および、第２方向Ｄ２に沿って、ノードＮに含まれる導線が繰り返し並進された構造を有する。互いに隣り合うノードＮの間に跨る導線は、例えば、図中の円Ｃが囲う領域のように、ドライブ電極３１ＤＰであれ、ドライブダミー３１ＤＤであれ、電気的に接続される。なお、互いに隣り合うノードＮの間に跨る導線の中でドライブダミー３１ＤＤを構成する導線は、互いに隣り合うノードＮの境界において、電気的に切断されていてもよい。
【００７２】
ドライブ検出要素３１ＤＰａを構成する導線は、操作面２０Ｓと対向する視点から見て、ドライブ検出要素３１ＤＰａの占有する領域を複数の閉区画に分割する。ドライブ検出要素３１ＤＰａを構成する導線のなかで各閉区画を囲む導線は、図中の一点鎖線が囲むように、包囲導線ＡＰＤである。各包囲導線ＡＰＤは、それの囲む閉区画内に他の導線が含まれない態様で、操作面２０Ｓと対向する視点から見て、四角以上の偶数多角形形状を有する。包囲導線ＡＰＤが形成する多角形の少なくとも一辺は、格子ピッチＰＬの２倍である最短導線長ＰＬＤ以上の長さを有する。そして、ドライブ検出要素３１ＤＰａに含まれる各包囲導線ＡＰＤは、互いに隣り合う閉区画間において、少なくとも一辺を共有する。
【００７３】
すなわち、ドライブ検出要素３１ＤＰａは、複数の包囲導線ＡＰＤから構成され、包囲導線ＡＰＤが囲う閉区画は、ドライブ検出要素３１ＤＰａが占有する領域の全体を埋め尽くする。そして、互いに隣り合う閉区画間において包囲導線ＡＰＤの一部が共有されることによって、閉区画間の電気的な接続が確保され、ドライブ検出要素３１ＤＰａの全体にわたる導通が確保される。
【００７４】
各包囲導線ＡＰＤが形成する多角形は、第１交差方向Ｃ１に突き出る端部を有したＬ字形状の六角形や、第２交差方向Ｃ２に突き出る端部を有したＬ字形状の六角形や、正方形や、第１交差方向Ｃ１に延びる長方形を含む。一方で、ドライブ検出要素３１ＤＰａの全体においては、各包囲導線ＡＰＤが形成する多角形のなかに、第１交差方向Ｃ１に延びる多角形と、第２交差方向Ｃ２に延びる多角形とが、ほぼ同じ数で含まれるように、ドライブ検出要素３１ＤＰａは構成される。言い換えれば、ドライブ検出要素３１ＤＰａを構成する導線の中で、第１交差方向Ｃ１に沿って延びる各導線の長さの合計と、第２交差方向Ｃ２に沿って延びる各導線の長さの合計とは、ほぼ等しい。
【００７５】
図６が示すように、ドライブダミー３１ＤＤは、第１交差方向Ｃ１に沿って延びる導線と、第２交差方向Ｃ２に沿って延びる導線との交差部ＡＤＤを、ドライブ検出要素３１ＤＰａよりも多く含んでいる。ドライブダミー３１ＤＤに含まれる交差部ＡＤＤは、ノードＮの中心を回転中心として、ドライブダミー３１ＤＤが回転されたとき、包囲導線ＡＰＤによって囲まれた閉区画内に交差部ＡＤＤが位置するように、配置される。言い換えれば、センシング検出要素３３ＳＰａに対しドライブダミー３１ＤＤが重ねられたとき、操作面２０Ｓと対向する視点から見て、ドライブダミー３１ＤＤに含まれる交差部ＡＤＤは、センシング検出要素３３ＳＰａに含まれる包囲導線ＡＰＤ内を区画し、それによって、単位格子ＬＳを形成する。
【００７６】
なお、ドライブダミー３１ＤＤに含まれる交差部ＡＤＤの数が、ドライブ検出要素３１ＤＰａに含まれる交差部の数よりも十分に多いことは、上記のように、ドライブダミー３１ＤＤとセンシング検出要素３３ＳＰａとの重ね合わせによって、１つの導線格子ＬＡを形成するためである。すなわち、ドライブ検出要素３１ＤＰａやセンシング検出要素３３ＳＰａが、そもそも複数の包囲導線ＡＰＤから構成され、ドライブダミー３１ＤＤやセンシングダミー３３ＳＤは、こうした包囲導線ＡＰＤ内に単位格子ＬＳを形成するための機能を有するからである。
【００７７】
ドライブ検出要素３１ＤＰａにおいて、ドライブダミー３１ＤＤとの境界の近傍には、ノードＮの対角線の傾きに近い傾きを有する導線が配置される。例えば、ノードＮの対角線の中で、第１交差方向Ｃ１と形成する角度が相対的に小さい対角線の近傍には、第１交差方向Ｃ１に沿った複数の導線が、その対角線と対向するように配置される。また、ノードＮの対角線の中で、第２交差方向Ｃ２と形成する角度が相対的に小さい対角線の近傍には、第２交差方向Ｃ２に沿った複数の導線が、その対角線と対向するように配置される。
【００７８】
こうしたドライブ検出要素３１ＤＰａにおいて、ドライブダミー３１ＤＤとの境界を構成する端部は、ノードＮの対角線と対向する導線上に、導線格子ＬＡにおける複数の格子点Ｐが配置される。また、ドライブ検出要素３１ＤＰａの端部には、こうした導線格子ＬＡの格子点Ｐから対角線に向けて延びる複数の端部導線ＤＰＥＬが配置される。各端部導線ＤＰＥＬが有する長さは、ドライブ検出要素３１ＤＰａを構成する導線の中で、各端部導線ＤＰＥＬ以外の他の導線よりも短い。詳しくは、各端部導線ＤＰＥＬが有する長さは、格子ピッチＰＬよりも短い。
【００７９】
第１方向Ｄ１において互いに隣り合うドライブ検出要素３１ＤＰａは、ドライブ接続要素３１ＤＰｂによって接続される。ドライブ接続要素３１ＤＰｂを構成する導線は、操作面２０Ｓと対向する視点から見て、ドライブ検出要素３１ＤＰａとは異なる規則に従って配置される。すなわち、先に説明したように、ドライブ検出要素３１ＤＰａを構成する導線は、各包囲導線ＡＰＤの形成する多角形において、第１交差方向Ｃ１に延びる多角形と、第２交差方向Ｃ２に延びる多角形とが、ほぼ同じ数で含まれるように、配置される。これに対し、ドライブ接続要素３１ＤＰｂを構成する導線は、これらの導線によって区画される領域が第１交差方向Ｃ１に沿って延びるように、配置される。
【００８０】
詳しくは、ドライブ接続要素３１ＤＰｂは、格子ピッチＰＬの４倍である接続長ＰＬ４を有し、かつ、第１交差方向Ｃ１に沿って延びる３本のドライブ電極線ＤＰｂＬと、格子ピッチＰＬの２倍の長さを有し、かつ、第２交差方向Ｃ２に沿って延びる２本のドライブ電極線ＤＰｂＬとによって構成される。第１交差方向Ｃ１に沿って延びる３本のドライブ電極線ＤＰｂＬは、ドライブ検出要素３１ＤＰａから連続し、第２交差方向Ｃ２において格子ピッチＰＬを空けて並んでいる。第２交差方向Ｃ２に沿って延びる２本のドライブ電極線ＤＰｂＬは、ドライブ検出要素３１ＤＰａから連続し、かつ、上記３本のドライブ電極線ＤＰｂＬを第２交差方向Ｃ２において並列に接続する。
【００８１】
このように、ドライブ検出要素３１ＤＰａを構成する導線の中では、第１交差方向Ｃ１に沿って延びる各導線の長さの合計と、第２交差方向Ｃ２に沿って延びる各導線の長さの合計とが、ほぼ等しいように、ドライブ検出要素３１ＤＰａは構成される。これに対し、ドライブ接続要素３１ＤＰｂを構成する導線の中では、第１交差方向Ｃ１に沿って延びる各導線の長さの合計が、第２交差方向Ｃ２に沿って延びる各導線の長さの合計よりも大きいように、ドライブ接続要素３１ＤＰｂは構成される。
【００８２】
［タッチセンサ用電極の作用］
図７から図１２を参照してタッチセンサ用電極の作用を説明する。なお、図７、および、図８は、説明の便宜上、ドライブ電極３１ＤＰの位置する透明基材３１の図示を省略する。また、図７は、説明の便宜上、ドライブダミー線ＤＤＬ、および、センシングダミー線ＳＤＬが破線で示される。
【００８３】
まず、タッチセンサ用電極２１においては、操作面２０Ｓと対向する視点から見て、ドライブ電極３１ＤＰとセンシングダミー３３ＳＤとが、矩形格子模様を共同で形成し、かつ、センシング電極３３ＳＰとドライブダミー３１ＤＤとが、矩形格子模様を共同で形成する。そして、操作面２０Ｓと対向する視点から見て、ドライブ電極３１ＤＰが占有する領域には、矩形格子模様のなかでドライブ電極３１ＤＰ以外の部分を模したセンシングダミー３３ＳＤと、ドライブ電極３１ＤＰとが混在する。また、操作面２０Ｓと対向する視点から見て、センシング電極３３ＳＰが占有する領域には、矩形格子模様のなかでセンシング電極３１ＤＰ以外の部分を模したドライブダミー３１ＤＤと、センシング電極３３ＳＰとが混在する。
【００８４】
それゆえに、操作面２０Ｓと対向する視点から見て、ドライブ電極３１ＤＰと、センシング電極３３ＳＰとが、別々の構造体として認識されにくくなる。そして、ドライブ電極３１ＤＰの有する色と、センシング電極３３ＳＰの有する色とにおける、明度および彩度の少なくとも一方が相互に異なっても、ドライブ電極３１ＤＰ色と、センシング電極３３ＳＰの色との違いが目立ちにくくなる。結果として、ドライブ電極３１ＤＰとセンシング電極３３ＳＰとの境界が視認されることが抑えられ、それによって、ドライブ電極３１ＤＰとセンシング電極３３ＳＰとが別々に視認されることに起因したモアレの発生が抑えられる。
【００８５】
次に、図７が示すように、ドライブ電極３１ＤＰに駆動信号が入力されると、例えば、第２方向Ｄ２において互いに隣り合うドライブ検出要素３１ＤＰａとセンシング検出要素３３ＳＰａとの間に電界ＥＦが形成される。ドライブ検出要素３１ＤＰａとセンシング検出要素３３ＳＰａとのうち、ドライブ検出要素３１ＤＰａを構成する導線と、センシング検出要素３３ＳＰａを構成する導線との間に電界ＥＦが形成される。
【００８６】
ドライブ検出要素３１ＤＰａとセンシング検出要素３３ＳＰａとは、操作面２０Ｓと対向する視点から見て、互いに重ならないため、透明基材３３の外側からの電気的な影響を受けやすい部分である。そのため、ドライブ検出要素３１ＤＰａとセンシング検出要素３３ＳＰａとの間の電界ＥＦも、透明基材３３の外側からの電気的な影響を受けやすい。
【００８７】
こうしたタッチセンサ用電極２１に人の指Ｆが近付くと、指Ｆに触れた電界ＥＦが人体を介して変化し、それによって、ドライブ電極３１ＤＰとセンシング電極３３ＳＰとの間に形成される静電容量の大きさが変わる。上述したように、電界ＥＦは、ドライブ検出要素３１ＤＰａからセンシング検出要素３３ＳＰａに向けて延びる際に、外側からの電気的な影響を受けやすいため、電界ＥＦは人の指Ｆによって影響されやすい。それゆえに、タッチセンサ用電極２１においては、ドライブ検出要素３１ＤＰａとセンシング検出要素３３ＳＰａとの間において、人の指Ｆの接触に対する感度が高くなる。結果として、人の指Ｆの接触した位置を検出する感度が高くなる。
【００８８】
一方で、図８が示すように、ドライブ接続要素３１ＤＰｂと、センシング接続要素３３ＳＰｂとが、立体的に交差する部分でも、静電容量は形成される。そのため、選択回路３４がドライブ電極３１ＤＰに駆動信号を出力するとき、ドライブ接続要素３１ＤＰｂの導線から、センシング接続要素３３ＳＰｂの導線に向けてほぼ直線形状を有する電界ＥＦが延びている。こうした電界ＥＦは、透明基材３３の外側からの電気的な影響を受けにくい。それゆえに、タッチセンサ用電極２１のうち、ドライブ接続要素３１ＤＰｂとセンシング接続要素３３ＳＰｂとが立体的に重なる部分に人の指Ｆが近付いても、指Ｆが近付く前の電界ＥＦの状態と、指Ｆが近付いた後の電界ＥＦの状態が、大きくは変わらない。
【００８９】
ここで、上述したように、タッチセンサ用電極２１においては、ドライブ検出要素３１ＤＰａと、センシング検出要素３３ＳＰａとの間の静電容量の変化によって、入力位置の検出感度が高められる。そのため、これらの間の静電容量の変化が、精度よく検出されるうえで、ドライブ接続要素３１ＤＰｂとセンシング接続要素３３ＳＰｂとの間の静電容量は、小さいことが好ましく、結果として、ドライブ接続要素３１ＤＰｂの占有面積やセンシング接続要素３３ＳＰｂの占有面積を縮小することが、強く求められている。こうしたドライブ接続要素３１ＤＰｂが占有する面積の縮小や、センシング接続要素３３ＳＰｂが占有する面積の縮小は、ドライブ接続要素３１ＤＰｂを構成する導線の本数や、センシング接続要素３３ＳＰｂを構成する導線の本数の減少を招く。結果として、ドライブ検出要素３１ＤＰａ間の電気的な接続や、センシング検出要素３３ＳＰａ間の電気的な接続の信頼性を損なうことになる。
【００９０】
この点、図９が示すように、ドライブ接続要素３１ＤＰｂは、第１交差方向Ｃ１に沿って延びる３本のドライブ電極線ＤＰｂＬを含み、それによって、互いに隣り合うドライブ検出要素３１ＤＰａの電気的な接続を保つ。第１交差方向Ｃ１は、導線の延在方向のなかで、互いに隣り合うドライブ検出要素３１ＤＰａの間を直接接続する導線の延在方向である。そして、例えば、これら３本のドライブ電極線ＤＰｂＬのなかの２本に欠陥ＤＦが発生するとしても、残りの１本のドライブ電極線ＤＰｂＬは、ドライブ検出要素３１ＤＰａの電気的な接続を保ち、ドライブ検出要素３１ＤＰａの間における電流Ｄｉの流れを確保する。結果として、第１交差方向Ｃ１に沿って延びる導線の占める割合が、ドライブ検出要素３１ＤＰａよりもドライブ接続要素３１ＤＰｂで大きいため、第１方向Ｄ１において互いに隣り合うドライブ検出要素３１ＤＰａ間では、電気的な接続に対する冗長性を高めることが可能である。
【００９１】
このようなドライブ接続要素３１ＤＰｂにおいて得られる高い冗長性は、センシング接続要素３３ＳＰｂにおいても同様である。すなわち、第２交差方向Ｃ２に沿って延びる導線の占める割合が、センシング検出要素３３ＳＰａよりもセンシング接続要素３３ＳＰｂで大きいため、第２方向Ｄ２において互いに隣り合うセンシング検出要素３３ＳＰａ間では、電気的な接続に対する冗長性を高めることが可能である。
【００９２】
しかも、上述した３本のドライブ電極線ＤＰｂＬの延在方向は、第１交差方向Ｃ１であり、この第１交差方向Ｃ１は、それと直交する第２交差方向Ｃ２よりも、ドライブ検出要素３１ＤＰａの並ぶ方向である第１方向Ｄ１に近い。すなわち、互いに隣り合うドライブ検出要素３１ＤＰａの電気的な接続は、これらドライブ検出要素３１ＤＰａの並ぶ方向に近しい方向に延びる複数の導線によって得られている。そのため、第２交差方向Ｃ２に沿って延びるドライブ電極線ＤＰｂＬが、ドライブ検出要素３１ＤＰａ間を電気的に接続する構成と比べて、ドライブ接続要素３１ＤＰｂの占有する面積が限られる構成においては、ドライブ検出要素３１ＤＰａ間を直接接続する導線の本数を多くすることが可能でもある。ひいては、ドライブ検出要素３１ＤＰａ間において、電気的な接続に対する冗長性をさらに高めることが可能でもある。また、ドライブ検出要素３１ＤＰａ間を直接接続する導線の本数を所定の本数とする前提においては、ドライブ接続要素３１ＤＰｂの占有する面積を縮小することが可能でもある。
【００９３】
なお、図１０が示すように、ドライブ検出要素３１ＤＰａの端部には、導線格子ＬＡの格子点Ｐから対角線に向けて延びる複数の端部導線ＤＰＥＬが配置され、各端部導線ＤＰＥＬが有する長さは、格子ピッチＰＬよりも短い。こうした構成からなるドライブ検出要素３１ＤＰａの端部において欠陥ＤＦが発生するとしても、それによる電界の歪みは、図中一点鎖線で示すように、ドライブ検出要素３１ＤＰａの占める面積を小さくするが、その縮小される程度は、格子ピッチＰＬよりも短くて済む。結果として、入力位置の検出される精度を大きく損なうことが抑えられる。
【００９４】
以上、上記実施形態によれば、以下に列挙する効果を得ることができる。
（１）第１交差方向Ｃ１に沿って延びる導線の占める割合が、ドライブ検出要素３１ＤＰａよりもドライブ接続要素３１ＤＰｂで大きいため、第１方向Ｄ１において互いに隣り合うドライブ検出要素３１ＤＰａ間では、電気的な接続に対する冗長性を高めることが可能である。
【００９５】
（２）第２交差方向Ｃ２に沿って延びる導線の占める割合が、センシング検出要素３３ＳＰａよりもセンシング接続要素３３ＳＰｂで大きいため、第２方向Ｄ２において互いに隣り合うセンシング検出要素３３ＳＰａ間では、電気的な接続に対する冗長性を高めることが可能である。
【００９６】
（３）ドライブ電極３１ＤＰにおいて、互いに隣り合うドライブ検出要素３１ＤＰａ間は、３本のドライブ電極線ＤＰｂＬによって電気的に接続される。これら３本のドライブ電極線ＤＰｂＬの延在方向は、第１交差方向Ｃ１であり、この第１交差方向Ｃ１は、それと直交する第２交差方向Ｃ２よりも、ドライブ検出要素３１ＤＰａの並ぶ方向である第１方向Ｄ１に近い。そのため、第２交差方向Ｃ２に沿って延びるドライブ電極線ＤＰｂＬが、ドライブ検出要素３１ＤＰａ間を電気的に接続する構成と比べて、ドライブ検出要素３１ＤＰａ間を直接接続する導線の本数を多くすることが可能でもある。ひいては、ドライブ検出要素３１ＤＰａ間において、電気的な接続に対する冗長性をさらに高めることが可能でもある。
【００９７】
（４）センシング電極３３ＳＰにおいて、互いに隣り合うセンシング検出要素３３ＳＰａ間は、３本のセンシング電極線によって電気的に接続される。これら３本のセンシング電極線の延在方向は、第２交差方向Ｃ２であり、この第２交差方向Ｃ２は、それと直交する第１交差方向Ｃ１よりも、センシング検出要素３３ＳＰａの並ぶ方向である第２方向Ｄ２に近い。そのため、第１交差方向Ｃ１に沿って延びるセンシング電極線が、センシング検出要素３３ＳＰａ間を電気的に接続する構成と比べて、センシング検出要素３３ＳＰａ間を直接接続する導線の本数を多くすることが可能でもある。ひいては、センシング検出要素３３ＳＰａ間において、電気的な接続に対する冗長性をさらに高めることが可能でもある。
【００９８】
（５）ドライブ検出要素３１ＤＰａの端部において導線の断線が発生するとしても、静電容量の変動は、格子ピッチＰＬ分の変動に相当する大きさ以下に収まる。それゆえに、ドライブ検出要素３１ＤＰａの端部における導線の断線に起因した検出精度の低下を抑えることが可能でもある。
【００９９】
（６）ドライブ検出要素３１ＤＰａの端部において導線の断線が発生するとしても、静電容量の変動は、格子ピッチＰＬ分の変動に相当する大きさ以下に収まる。それゆえに、ドライブ検出要素３１ＤＰａの端部における導線の断線に起因した検出精度の低下を抑えることが可能でもある。
【０１００】
（７）ドライブ電極３１ＤＰとセンシングダミー３３ＳＤとにおける明度および彩度の少なくとも一方が互いに異なり、また、センシング電極３３ＳＰとドライブダミー３１ＤＤとにおける明度および彩度の少なくとも一方が互いに異なっても、ドライブ電極３１ＤＰとセンシング電極３３ＳＰとの色の違いが目立ちにくくなる。
【０１０１】
このような構成においては、ドライブ電極３１ＤＰとセンシングダミー３３ＳＤとの重なり、および、センシング電極３３ＳＰとドライブダミー３１ＤＤとの重なりによって、導線格子ＬＡが構成される。結果として、ドライブ電極３１ＤＰにおける導線の密度、および、センシング電極３３ＳＰにおける導線の密度は、これらにダミーが重ねられない構成と比べて低い。一方で、上述した構成であれば、ドライブ電極３１ＤＰにおいて、ドライブ検出要素３１ＤＰａの導線と、ドライブ接続要素３１ＤＰｂの導線とが互いに異なる構造を有し、また、センシング検出要素３３ＳＰａの導線と、センシング接続要素３３ＳＰｂの導線とが互いに異なる構造を有する。特に、ドライブ接続要素３１ＤＰｂの導線、および、センシング接続要素３３ＳＰｂの導線は、電気的な接続の冗長性を高める構成とされているため、上述した色の違いに起因してモアレが発生することを抑制しつつも、上記（１）から（６）に順じた効果が得られる。
【０１０２】
なお、上記実施形態は、以下のように適宜変更して実施することもできる。
［導線］
・ドライブ電極、ドライブダミー、センシング電極、および、センシングダミーの各々の導線は、黒色を有していなくともよい。例えば、各々の導線は、金属光沢を有する、あるいは、光透過性を有する構成であってもよい。この際に、光透過性を有する電極線の形成材料には、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。なお、金属光沢を有する電極線には、上述した金属膜に加えて、銀ナノワイヤーや導電性高分子膜を用いることもできる。また、黒色を有する電極線には、黒化処理の施された金属線に限らず、グラフェン膜などの導電膜も用いられる。
【０１０３】
こうした構成であっても、ドライブ電極３１ＤＰと、センシング電極３３ＳＰとの間には、透明基材３３が位置するため、ドライブ電極３１ＤＰの有する色と、センシング電極３３ＳＰの有する色とは、透明基材３３の表面から見て少なからず異なっている。それゆえに、上述した（１）から（７）に準じた効果が少なからず得られる。
【０１０４】
［接続要素］
・図１１が示すように、上記ドライブ接続要素３１ＤＰｂにおける接続導線である３本のドライブ電極線ＤＰｂＬのうち、中央に位置する領域Ｋのドライブ電極線ＤＰｂＬが２つに分割され、かつ、これら第１交差方向Ｃ１に沿って延びる４本のドライブ電極線ＤＰｂＬを並列に接続する１つのドライブ並列電極線ＤＰｃＬが新たに加えられてもよい。こうした構成であっても、第１交差方向Ｃ１に沿って延びる接続導線の占める割合が、ドライブ検出要素３１ＤＰａよりもドライブ接続要素３１ＤＰｂで大きいため、第１方向Ｄ１において互いに隣り合うドライブ検出要素３１ＤＰａ間では、電気的な接続に対する冗長性を高めることが可能である。
【０１０５】
・センシング接続要素３３ＳＰｂを構成する導線の中で第２交差方向Ｃ２に沿って延びる導線の占める割合は、センシング検出要素３３ＳＰａを構成する導線の中で第２交差方向Ｃ２に沿って延びる導線の占める割合以下であってもよい。あるいは、ドライブ接続要素３１ＤＰｂを構成する導線の中で第１交差方向Ｃ１に沿って延びる導線の占める割合は、ドライブ検出要素３１ＤＰａを構成する導線の中で第１交差方向Ｃ１に沿って延びる導線の占める割合以下であってもよい。要は、ドライブ電極３１ＤＰとセンシング電極３３ＳＰとのいずれか一方において、上述した条件を満たすタッチパネル用電極の構成であればよい。
【０１０６】
・第１方向Ｄ１と第１交差方向Ｃ１との形成する角度は、第２方向Ｄ２と第１交差方向Ｃ１との形成する角度と同じであってもよく、あるいは、第２方向Ｄ２と第１交差方向Ｃ１との形成する角度よりも大きくてもよい。
【０１０７】
［導線格子］
・ドライブ電極を構成する導線の本数と、センシング電極を構成する導線の本数とは、矩形格子模様を有した導線格子を形成することが可能な範囲において、任意に変更することができる。
・導線格子における単位格子は、操作面２０Ｓと対向する視点から見て、正方形形状に限らず、例えば、長方形形状、あるいは、菱形形状であってもよい。なお、導線格子における単位格子が正方形形状を有する構成であれば、ドライブ電極３１ＤＰやドライブダミー３１ＤＤを回転させた構造をセンシング電極３３ＳＰやセンシングダミー３３ＳＤに採用することができるため、ドライブ電極３１ＤＰとセンシング電極３３ＳＰとの設計に要する負荷を軽減することが可能でもある。
【０１０８】
・導線格子における単位格子が正方形形状である構成であれ、導線格子における単位格子が長方形形状である構成であれ、ドライブ検出要素３１ＤＰａの占有する領域と、センシング検出要素３３ＳＰａの占有する領域は、操作面２０Ｓと対向する視点から見て、回転対称であってもよいし、非回転対称であってもよい。ドライブダミー３１ＤＤの占有する領域と、センシングダミー３３ＳＤの占有する領域もまた、操作面２０Ｓと対向する視点から見て、回転対称であってもよいし、非回転対称であってもよい。非回転対称となる構造の一例としては、各々の検出要素における包囲導線ＡＰＤの形状、大きさ、数量が互いに異なる構成や、各々の検出要素とそれに併設されたダミーとの間の隙間の大きさが互いに異なる構成が挙げられる。また、非回転対称となる構造の一例としては、各々のダミーにおける交差部ＡＤＤの大きさや数量が互いに異なる構造が挙げられる。
【０１０９】
［タッチセンサ用電極］
・図１２が示すように、タッチパネル２０を構成するタッチセンサ用電極２１において、透明基材３１、および、透明接着層３２は、割愛されてもよい。こうした構成において、透明基材３３の面の中で液晶パネル１０と対向する面はドライブ面３１Ｓとして機能し、ドライブ面３１Ｓにはドライブ電極３１ＤＰが配置される。そして、透明基材３３においてドライブ面３１Ｓとは反対側の面にはセンシング電極３３ＳＰが配置される。
なお、こうした構成におけるドライブ電極３１ＤＰは、例えば、ドライブ面３１Ｓに形成された１つの薄膜のパターニングによって形成される。
【０１１０】
・図１３が示すように、タッチパネル２０においては、液晶パネル１０に近い構成要素から順番に、ドライブ電極３１ＤＰ、透明基材３１、透明接着層３２、透明基材３３、センシング電極３３ＳＰ、透明接着層２３、カバー層２２が位置してもよい。
【０１１１】
なお、こうした構成においては、例えば、ドライブ電極３１ＤＰが、透明基材３１の１つの面であるドライブ面３１Ｓに形成され、センシング電極３３ＳＰが、透明基材３３の１つの面であるセンシング面３３Ｓに形成される。そして、透明基材３１においてドライブ面３１Ｓとは反対側の面と、透明基材３３においてセンシング面３３Ｓとは反対側の面とが、透明接着層３２によって互いに接着される。
【０１１２】
［表示装置］
・タッチパネル２０と液晶パネル１０とは、個別に形成されていなくともよく、タッチパネル２０は、液晶パネル１０と一体に形成されてもよい。こうした構成は、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型を採用することができる。あるいは、タッチセンサ用電極２１がカラーフィルタ基板１６と上側偏光板１７との間に位置するオンセル型も採用することができる。
【符号の説明】
【０１１３】
ＡＤＤ…交差部、ＡＰＤ…包囲導線、Ｃ１…第１交差方向、Ｃ２…第２交差方向、ＣＬ１，ＣＬ２…導線、Ｄ１…第１方向、Ｄ２…第２方向、ＤＤＬ…ドライブダミー線、ＤＰａＬ，ＤＰｂＬ…ドライブ電極線、Ｄｉ…電流、ＤＰＥＬ…端部導線、ＥＦ…電界、ＬＡ…導線格子、ＬＳ…単位格子、Ｎ…ノード、Ｐ…格子点、Ｐ１…第１電極、Ｐ２…第２電極、ＰＬ…格子ピッチ、ＰＣ１…第１接続要素、ＰＣ２…第２接続要素、ＰＤ１…第１検出要素、ＰＤ２…第２検出要素、ＰＬ４…接続長、Ｓ１…第１面、Ｓ２…第２面、ＳＣ，２０Ｓ…操作面、ＳＤＬ…センシングダミー線、ＳＰａＬ，ＳＰｂＬ…センシング電極線、１０…液晶パネル、１０Ｓ…表示面、１１…下側偏光板、１２…薄膜トランジスタ基板、１３…ＴＦＴ層、１４…液晶層、１５…カラーフィルタ層、１５ａ…ブラックマトリクス、１５Ｐ…画素、１５Ｇ…緑着色層、１５Ｒ…赤着色層、１６…カラーフィルタ基板、１７…上側偏光板、２０…タッチパネル、２２…カバー層、２３…透明接着層、３１…透明基材、３１ＤＤ…ドライブダミー、３１ＤＰ…ドライブ電極、３１ＤＰａ…ドライブ検出要素、３１ＤＰｂ…ドライブ接続要素、３１Ｐ，３３Ｐ…パッド、３１Ｓ…ドライブ面、３２…透明接着層、３３…透明基材、３３ＳＰａ…センシング検出要素、３３Ｓ…センシング面、３３ＳＤ…センシングダミー、３３ＳＰ…センシング電極、３３ＳＰｂ…センシング接続要素、３４…選択回路、３５…検出回路、３５ａ…信号取得部、３５ｂ…信号処理部、３６…制御部。
【図１】
2016206754.tif 000003
【図２】
2016206754.tif 000004
【図３】
2016206754.tif 000005
【図４】
2016206754.tif 000006
【図５】
2016206754.tif 000007
【図６】
2016206754.tif 000008
【図７】
2016206754.tif 000009
【図８】
2016206754.tif 000010
【図９】
2016206754.tif 000011
【図１０】
2016206754.tif 000012
【図１１】
2016206754.tif 000013
【図１２】
2016206754.tif 000014
【図１３】
2016206754.tif 000015
【図１４】
2016206754.tif 000016